(57)【要約】【課題】ユーザ端末２０７における通信障害の発生から復旧までの時間を短縮させる。【解決手段】ユーザ端末２０７と通信するＯＮＵ２０４と、ＯＮＵ２０４及びＤＨＣＰサーバ１１１と通信するＯＬＴ１０２とを備え、ＯＮＵ２０４は、ユーザ端末２０７から送信されたＩＰアドレスの取得要求を、ＤＨＣＰサーバ１１１に向けて転送し、ＩＰアドレスの取得要求を受信したＤＨＣＰサーバ１１１は、ユーザ端末２０７にＩＰアドレスを割り当てるＰＯＮシステム１００において、ＯＮＵ２０４は、ユーザ端末２０７との通信の制御を実行するＯＮＵ制御部２０４ａを備え、ＯＬＴ１０２に障害が発生したときに、ＯＮＵ制御部２０４ａは、ユーザ端末２０７にＩＰアドレスの取得要求を実行させる。【選択図】図３
2017098655.tif 000002
【特許請求の範囲】
【請求項１】
クライアント装置と通信する加入者側装置と、前記加入者側装置及びサーバ装置と通信する局側装置とを備え、前記加入者側装置は、前記クライアント装置から送信されたＩＰアドレスの取得要求を、前記サーバ装置に向けて転送し、前記ＩＰアドレスの前記取得要求を受信した前記サーバ装置は、前記クライアント装置に前記ＩＰアドレスを割り当てる通信システムにおいて、
前記加入者側装置は、前記クライアント装置との通信の制御を実行する主制御部を備え、
前記局側装置に障害が発生したときに、前記主制御部は、前記クライアント装置に前記ＩＰアドレスの前記取得要求を実行させる
ことを特徴とする通信システム。
【請求項２】
前記加入者側装置は、前記クライアント装置と通信を行うためのインターフェース部をさらに備え、
前記インターフェース部は、前記クライアント装置と通信を行うためのポートを有し、
前記主制御部が一時的に前記ポートを閉塞することにより、前記加入者側装置と前記クライアント装置との間の通信状態を、一時的に接続状態から切断状態に切り替える
ことを特徴とする請求項１に記載の通信システム。
【請求項３】
前記局側装置に前記障害が発生したときに、前記主制御部は、前記局側装置の前記障害の発生を前記クライアント装置に通知することにより、前記クライアント装置に前記ＩＰアドレスの前記取得要求を実行させる
ことを特徴とする請求項１又は２に記載の通信システム。
【請求項４】
前記加入者側装置は、前記クライアント装置と通信を行うためのホームゲートウェイ部をさらに有し、
前記主制御部が前記ホームゲートウェイ部を再起動させることにより、前記加入者側装置と前記クライアント装置との間の通信状態を、一時的に接続状態から切断状態に切り替える
ことを特徴とする請求項１から３のいずれか１項に記載の通信システム。
【請求項５】
前記局側装置は、前記クライアント装置に関連付けられた識別情報を記憶する記憶部を有することを特徴とする請求項１から４のいずれか１項に記載の通信システム。
【請求項６】
前記識別情報は、前記クライアント装置のＭＡＣアドレス及び前記クライアント装置に割り当てられた前記ＩＰアドレスによって生成される情報であることを特徴とする請求項５に記載の通信システム。
【請求項７】
前記局側装置は、前記クライアント装置から送信されたパケットに対してパケットフィルタリング処理を行うパケットフィルタ部を有し、
前記パケットフィルタ部は、前記クライアント装置に関連付けられた前記識別情報が前記記憶部に記憶されている場合に、前記クライアント装置から送信されたパケットを通過させる
ことを特徴とする請求項５又は６に記載の通信システム。
【請求項８】
前記パケットフィルタ部は、前記クライアント装置に関連付けられた前記識別情報が前記記憶部に記憶されていない場合に、前記クライアント装置から送信されたパケットを廃棄することを特徴とする請求項７に記載の通信システム。
【請求項９】
前記局側装置は、スヌーピングによって、前記クライアント装置と前記サーバ装置との間で送受信されるパケットから、前記クライアント装置のＭＡＣアドレス及び前記クライアント装置に割り当てられた前記ＩＰアドレスを取得するモニタ部を有し、
前記モニタ部は、スヌーピングによって取得した前記クライアント装置の前記ＭＡＣアドレス及び前記クライアント装置に割り当てられた前記ＩＰアドレスを用いて前記識別情報を生成する
ことを特徴とする請求項５から８のいずれか１項に記載の通信システム。
【請求項１０】
前記サーバ装置は、ＤＨＣＰによって前記クライアント装置に前記ＩＰアドレスを割り当てるＤＨＣＰサーバであることを特徴とする請求項１から９のいずれか１項に記載の通信システム。
【請求項１１】
クライアント装置と通信する加入者側装置と、前記加入者側装置及びサーバ装置と通信する局側装置とを備え、前記加入者側装置は、前記クライアント装置から送信されたＩＰアドレスの取得要求を、前記サーバ装置に向けて転送し、前記ＩＰアドレスの前記取得要求を受信した前記サーバ装置は、前記クライアント装置に前記ＩＰアドレスを割り当てる通信システムにおける前記加入者側装置であって、
前記加入者側装置は、
前記クライアント装置との通信の制御を実行する主制御部と、
前記クライアント装置と通信を行うためのインターフェース部と
を備え、
前記局側装置に障害が発生したときに、前記主制御部は、前記クライアント装置に前記ＩＰアドレスの前記取得要求を実行させる
ことを特徴とする加入者側装置。
【発明の詳細な説明】
【技術分野】
【０００１】
本発明は、局側装置と加入者側装置とを有する通信システムに関する。
【背景技術】
【０００２】
一般に、ＯＬＴ（Optical  line  Terminal）及びＯＮＵ（Optical  Network  Unit）を備えたＰＯＮ（Passive  Optical  Network）システム等の通信システムを用いて、インターネット等の上位ネットワークにおける通信を実現するために、ＩＰｏＥ（IP  over  Ethernet（登録商標））、ＰＰＰｏＥ（Point-to-Point  Protocol  over  Ethernet（登録商標））等のデータリンク技術が用いられている。これらのデータリンク技術を用いることによって、ＰＣ（Personal  Computer）、ＨＧＷ（Home  Gate  Way）等が、通信システムを介してインターネット網へアクセスするためのユーザ認証を行うことができる。例えば、ＩＰｏＥを用いた通信システムでは、ＤＨＣＰ（Dynamic  Host  Configuration  Protocol）を用いてサーバ装置（例えば、ＤＨＣＰサーバ）からクライアント装置（例えば、ＤＨＣＰクライアント）にＩＰ（Internet  Protocol）アドレスが割り当てられる。さらに、通信システムにおいて、ＩＰアドレス等によって識別情報を生成し、その識別情報をクライアント装置に関連付けて通信システム内（例えば、ＯＬＴ内の記憶部）に記憶しておくことにより、ユーザ認証を行うことができる。ユーザ認証の際に生成された識別情報は、クライアント装置から送信されるパケット等のデータに対するフィルタリング（パケットフィルタリング）を行うために用いられる。例えば、識別情報を用いて、クライアント装置から送信されるデータを照合することにより、ユーザ認証が完了されていないＰＣ等によるインターネット網への不正アクセスを防止することができる（例えば、特許文献１参照）。
【先行技術文献】
【特許文献】
【０００３】
【特許文献１】特開２０１０−１９９６７３号公報
【発明の概要】
【発明が解決しようとする課題】
【０００４】
しかしながら、例えば、ＯＬＴに障害が発生した場合に、ＯＬＴにおいて記憶されていた識別情報が消去されると、通信システムにおいて再びクライアント装置に対するユーザ認証が完了されるまで、クライアント装置が通信システムを介してインターネット網へアクセスすることができない。クライアント装置に割り当てられたＩＰアドレスの定期的な更新（リース期間の更新）を行うように、サーバ装置を設定することも可能であるが、定期的な更新までの時間（リース期間）が長い場合、クライアント装置における通信障害の発生から復旧までの時間が長時間となる。
【０００５】
そこで、本発明の目的は、クライアント装置における通信障害の発生から復旧までの時間を短縮させることである。
【課題を解決するための手段】
【０００６】
本発明の通信システムは、クライアント装置と通信する加入者側装置と、前記加入者側装置及びサーバ装置と通信する局側装置とを備え、前記加入者側装置は、前記クライアント装置から送信されたＩＰアドレスの取得要求を、前記サーバ装置に向けて転送し、前記ＩＰアドレスの前記取得要求を受信した前記サーバ装置は、前記クライアント装置に前記ＩＰアドレスを割り当てる通信システムにおいて、前記加入者側装置は、前記クライアント装置との通信の制御を実行する主制御部を備え、前記局側装置に障害が発生したときに、前記主制御部は、前記クライアント装置に前記ＩＰアドレスの前記取得要求を実行させることを特徴とする。
【発明の効果】
【０００７】
本発明によれば、クライアント装置における通信障害の発生から復旧までの時間を短縮させることができる。
【図面の簡単な説明】
【０００８】
【図１】本発明の実施の形態１に係るＰＯＮシステムを含む通信ネットワークの一例を示すブロック図である。
【図２】ＤＨＣＰクライアント及びＤＨＣＰサーバの動作を示すシーケンス図である。
【図３】ＰＯＮシステムにおけるＯＬＴ及びＯＮＵの内部構成を概略的に示すブロック図である。
【図４】ＯＬＴに障害が発生した場合のＰＯＮシステムの動作の一例を示すシーケンス図である。
【図５】実施の形態２に係るＰＯＮシステムにおけるＯＬＴ及びＯＮＵの内部構成を概略的に示すブロック図である。
【図６】ＯＬＴに障害が発生した場合のＰＯＮシステムの動作の一例を示すシーケンス図である。
【図７】実施の形態３に係るＰＯＮシステムにおけるＯＬＴ及びＯＮＵの内部構成を概略的に示すブロック図である。
【図８】ＯＬＴに障害が発生した場合のＰＯＮシステムの動作の一例を示すシーケンス図である。
【図９】変形例１に係るＰＯＮシステムにおけるＯＬＴ制御部の構成を示すブロック図である。
【図１０】変形例２に係るＰＯＮシステムにおけるＯＮＵ制御部の構成を示すブロック図である。
【発明を実施するための形態】
【０００９】
以下に、本発明の実施の形態を図に基づいて説明する。なお、以下の実施の形態により本発明が限定されるものではない。
【００１０】
実施の形態１．
図１は、実施の形態１に係る通信システムとしてのＰＯＮシステム１００を含む通信ネットワークの一例を示すブロック図である。
通信システムとしてのＰＯＮシステム１００は、局側装置（局側光終端装置）としてのＯＬＴ１０２と、複数の加入者側装置（加入者側光終端装置）としての複数のＯＮＵ（例えば、ＯＮＵ１０４ａ，１０４ｂ，及び１０４ｃ）とを有する。ＯＬＴ１０２に接続された光ファイバ１０５（光ファイバ回線）は、光カプラ１０３によって分岐され、各ＯＮＵに接続される。
【００１１】
ＰＯＮシステム１００は、ＯＬＴ１０２によってインターネット網１０１などの上位ネットワークに直接又は間接的に接続されている。ＰＯＮシステム１００と複数のユーザ端末（例えば、ユーザ端末１０７ａ，１０７ｂ，及び１０７ｃ）とは、互いに通信（例えば、信号、データ等の送受信）を行う。したがって、ＰＯＮシステム１００は、ユーザ端末１０７ａ，１０７ｂ，及び１０７ｃを上位ネットワークに通信可能に接続させることができる。
【００１２】
ユーザ端末１０７ａ，１０７ｂ，及び１０７ｃは、通信ネットワーク上の機器を識別するための番号が割り当てられることにより、通信ネットワークにおいて信号、データ等の送信及び受信が可能な機器である。本実施の形態では、ユーザ端末１０７ａ，１０７ｂ，及び１０７ｃは、ＩＰ（Internet  Protocol）ネットワーク上の機器を識別するための番号であるＩＰアドレスが割り当てられることにより、ＩＰネットワークにおいて信号、データ等の送信及び受信が可能な機器である。ユーザ端末１０７ａ，１０７ｂ，及び１０７ｃは、例えば、ユーザ端末１０７ａ，１０７ｂ，及び１０７ｃは、ＰＣ、テレビ（Television）等である。
【００１３】
ＯＬＴ１０２と各ＯＮＵ（ＯＮＵ１０４ａ，１０４ｂ，及び１０４ｃ）とは、光カプラ１０３及び光ファイバ１０５等を介して互いに通信を行う。
【００１４】
ＯＮＵ１０４ａとユーザ端末１０７ａとは、互いに通信を行う。ＯＮＵ１０４ａとユーザ端末１０７ａとの通信は、有線通信及び無線通信のいずれでもよい。したがって、ＯＬＴ１０２とユーザ端末１０７ａとは、ＯＮＵ１０４ａ等を介して互いに通信を行う。
【００１５】
ＯＮＵ１０４ｂとユーザ端末１０７ｂとは、ＨＧＷ１０６等を介して、互いに通信を行う。ＨＧＷ１０６とユーザ端末１０７ｂとの通信は、有線通信及び無線通信のいずれでもよい。したがって、ＯＬＴ１０２とユーザ端末１０７ｂとは、ＯＮＵ１０４ｂ及びＨＧＷ１０６等を介して互いに通信を行う。
【００１６】
ＯＮＵ１０４ｃとユーザ端末１０７ｃとは、互いに通信を行う。本実施の形態では、ＯＮＵ１０４ｃは、ＨＧＷ１０４ｄ（ＨＧＷ部）が内蔵されたＯＮＵである。ＯＮＵ１０４ｃとユーザ端末１０７ｃとの通信は、有線通信及び無線通信のいずれでもよい。したがって、ＯＬＴ１０２とユーザ端末１０７ｃとは、ＯＮＵ１０４ｃ等を介して互いに通信を行う。
【００１７】
ＯＮＵ１０４ａ，１０４ｂ，及び１０４ｃは、クライアント装置（例えば、ユーザ端末１０７ａ，１０７ｂ，及び１０７ｃ）から送信されたＩＰアドレスの取得要求を、サーバ装置としてのＤＨＣＰサーバ１１１に向けて転送する。
【００１８】
ＤＨＣＰサーバ１１１は、ＤＨＣＰによってクライアント装置としてのＤＨＣＰクライアントにＩＰアドレスを割り当てることができる。ＤＨＣＰサーバ１１１は、例えば、ＤＨＣＰサーバ機能を有するコンピュータ、ルータ等である。ＤＨＣＰサーバ１１１は、インターネット網１０１とＰＯＮシステム１００（例えば、ＯＬＴ１０２）との間に配置される。本実施の形態では、ＤＨＣＰサーバ１１１は、ＯＬＴ１０２と通信する。
【００１９】
本実施の形態では、ユーザ端末１０７ａ，１０７ｂ，及び１０７ｃは、ＤＨＣＰクライアントとして動作する。ただし、ＨＧＷ１０６は、ユーザ端末１０７ｂの代わりにＤＨＣＰクライアントとして動作することができ、ＨＧＷ１０４ｄが内蔵されたＯＮＵ１０４ｃもユーザ端末１０７ｃの代わりにＤＨＣＰクライアントとして動作することができる。
【００２０】
次に、ＤＨＣＰサーバ１１１によるＩＰアドレスの割り当て動作について説明する。
図２は、ＤＨＣＰクライアント及びＤＨＣＰサーバの動作（ＤＨＣＰによるＩＰアドレス設定）を示すシーケンス図である。
【００２１】
ＤＨＣＰクライアント（例えば、ユーザ端末１０７ａ）は、ＩＰアドレスの割り当てをＤＨＣＰサーバ１１１に要求する場合、ＤＨＣＰ  ｄｉｓｃｏｖｅｒメッセージｍ１をＤＨＣＰサーバ１１１に送信する。ＤＨＣＰ  ｄｉｓｃｏｖｅｒメッセージｍ１を受信したＤＨＣＰサーバ１１１は、ＤＨＣＰクライアントにＤＨＣＰ  ｏｆｆｅｒメッセージｍ２を送信することにより、ＤＨＣＰクライアントが使用できるＩＰアドレスの情報をＤＨＣＰクライアントに通知する。
【００２２】
ＤＨＣＰ  ｏｆｆｅｒメッセージｍ２を受信したＤＨＣＰクライアントは、ＤＨＣＰサーバ１１１から受信したＩＰアドレスに問題がなければ、ＤＨＣＰ  ｒｅｑｕｅｓｔメッセージｍ３を送信することにより、ＩＰアドレスの割り当てをＤＨＣＰサーバ１１１に正式に要求する。
【００２３】
ＤＨＣＰ  ｒｅｑｕｅｓｔメッセージｍ３を受信したＤＨＣＰサーバ１１１は、ＩＰアドレスの設定のためのＤＨＣＰ  ａｃｋメッセージｍ４をＤＨＣＰクライアントに送信する。ＤＨＣＰ  ａｃｋメッセージｍ４を受信したＤＨＣＰクライアントは、ＤＨＣＰ  ａｃｋメッセージｍ４の内容に従ってＩＰアドレスの設定を行う。以上の動作により、ＤＨＣＰによるＩＰアドレス設定が完了する。
【００２４】
図３は、ＰＯＮシステム１００におけるＯＬＴ１０２及びＯＮＵ２０４の内部構成を概略的に示すブロック図である。本実施の形態では、ＯＮＵ２０４は、図１に示されるＯＮＵ１０４ａに相当する。ただし、ＯＮＵ２０４を、図１に示されるＯＮＵ１０４ｂ及び１０４ｃに適用することも可能である。すなわち、ＯＮＵ２０４は、ＨＧＷ（ＨＧＷ部）を備えてもよい。本実施の形態では、クライアント装置としてのユーザ端末２０７は、図１に示されるユーザ端末１０７ａに相当する。ただし、ユーザ端末２０７を、図１に示されるユーザ端末１０７ｂ及び１０７ｃに適用することも可能である。
【００２５】
ＯＬＴ１０２は、ＯＬＴ制御部１０２ａと記憶部１０２ｂとを有する。
【００２６】
ＯＬＴ制御部１０２ａは、パケットフィルタ部１０２ｃと、モニタ部としてのＤＨＣＰメッセージモニタ部１０２ｄと、ＰＯＮ制御部１０２ｅ（ＯＬＴ側ＰＯＮ制御部）とを有する。
【００２７】
パケットフィルタ部１０２ｃは、クライアント装置としてのユーザ端末２０７から送信されたパケットに対してパケットフィルタリング処理を行う。
【００２８】
ＤＨＣＰメッセージモニタ部１０２ｄは、スヌーピングによって、クライアント装置（ユーザ端末２０７）とＤＨＣＰサーバ１１１との間で送受信されるパケットから、クライアント装置（ユーザ端末２０７）に割り当てられた物理アドレスを取得することができる。本実施の形態では、物理アドレスとは、ＭＡＣ（Media  Access  Control）アドレスである。
【００２９】
さらに、ＤＨＣＰメッセージモニタ部１０２ｄは、スヌーピングによって、クライアント装置（ユーザ端末２０７）とＤＨＣＰサーバ１１１との間で送受信されるパケットから、クライアント装置（ユーザ端末２０７）に割り当てられたＩＰアドレスを取得することができる。
【００３０】
ＰＯＮ制御部１０２ｅは、パケットフィルタ部１０２ｃ及び記憶部１０２ｂを制御する。さらに、ＰＯＮ制御部１０２ｅは、光信号及び電気信号を相互に変換することができる。
【００３１】
記憶部１０２ｂは、ＰＯＮ制御部１０２ｅによって情報が格納されるメモリである。例えば、記憶部１０２ｂは、クライアント装置（ユーザ端末２０７）に関連付けられた識別情報としての組み合わせ情報を記憶する。具体的には、組み合わせ情報は、記憶部１０２ｂ内に備えられた認証テーブル１０２ｆに格納される。
【００３２】
ＯＮＵ２０４は、主制御部としてのＯＮＵ制御部２０４ａと、クライアント装置（ユーザ端末２０７）と通信を行うためのインターフェース部２０４ｂとを有する。
【００３３】
ＯＮＵ制御部２０４ａは、ユーザポート閉塞処理部２０４ｃと、ＰＯＮ制御部２０４ｄ（ＯＮＵ側ＰＯＮ制御部）とを有する。ＯＮＵ制御部２０４ａは、ＯＮＵ２０４とクライアント装置（ユーザ端末２０７）との間の通信の制御を実行する。
【００３４】
インターフェース部２０４ｂは、クライアント装置（ユーザ端末２０７）と通信を行うためのポート２０４ｅを有する。
【００３５】
ユーザポート閉塞処理部２０４ｃは、ポート２０４ｅの閉塞及び閉塞の解除を実行することができる。
【００３６】
ＰＯＮ制御部２０４ｄは、ユーザポート閉塞処理部２０４ｃを制御する。さらに、ＰＯＮ制御部２０４ｄは、光信号及び電気信号を相互に変換することができる。
【００３７】
ＤＨＣＰメッセージモニタ部１０２ｄは、ユーザ端末２０７とＤＨＣＰサーバ１１１との間で送受信されるＤＨＣＰ  ｒｅｑｕｅｓｔメッセージｍ３をスヌーピングにより取得し、ＤＨＣＰ  ｒｅｑｕｅｓｔメッセージｍ３に含まれるユーザ端末２０７のＭＡＣアドレスを取得する。
【００３８】
ＤＨＣＰメッセージモニタ部１０２ｄは、ユーザ端末２０７とＤＨＣＰサーバ１１１との間で送受信されるＤＨＣＰ  ａｃｋメッセージｍ４をスヌーピングにより取得し、ＤＨＣＰ  ａｃｋメッセージｍ４に含まれるＩＰアドレス（ユーザ端末２０７に割り当てられるＩＰアドレス）を取得する。
【００３９】
ＤＨＣＰメッセージモニタ部１０２ｄは、スヌーピングによって取得したＭＡＣアドレス（ユーザ端末２０７のＭＡＣアドレス）及びＩＰアドレス（ユーザ端末２０７に割り当てられたＩＰアドレス）を用いて、ユーザ端末２０７に関連付けられた情報である組み合わせ情報を生成する。生成された組み合わせ情報がＰＯＮ制御部１０２ｅによって認証テーブル１０２ｆに登録されることによって、ＰＯＮシステム１００におけるユーザ端末２０７のユーザ認証が完了される。ユーザ端末２０７のユーザ認証が完了されることにより、ユーザ端末２０７は、ＰＯＮシステム１００を介してインターネット網１０１へアクセスすることが可能になる。本出願において、「組み合わせ情報」とは、例えば、ユーザ端末２０７のＭＡＣアドレス及びＩＰアドレスを含む情報のことをいう。
【００４０】
パケットフィルタ部１０２ｃは、ユーザ端末２０７に関連付けられた組み合わせ情報が記憶部１０２ｂ（具体的には、認証テーブル１０２ｆ）に記憶されている場合に、ユーザ端末２０７から送信されたパケット（データ）を通過させることができる。具体的には、パケットフィルタ部１０２ｃは、認証テーブル１０２ｆに登録された組み合わせ情報を含むパケットを通過させることができる。
【００４１】
パケットフィルタ部１０２ｃは、ユーザ端末２０７に関連付けられた組み合わせ情報が記憶部１０２ｂ（具体的には、認証テーブル１０２ｆ）に記憶されていない場合に、ユーザ端末２０７から送信されたパケット（データ）を廃棄する。したがって、ユーザ認証が完了されていないユーザ端末等のクライアント装置による通信は、パケットフィルタ部１０２ｃによって遮断される。
【００４２】
ＰＯＮシステム１００において、ＯＬＴ１０２の障害（例えば、故障、再起動、電源断、回線断等）の発生により、認証テーブル１０２ｆに格納されていた組み合わせ情報が消去される場合がある。ユーザ端末２０７の組み合わせ情報が消去された場合、その組み合わせ情報が消去された時から、ＩＰアドレスの再設定が完了する時までの期間は、ユーザ端末２０７は、ＰＯＮシステム１００を介した通信ができない。そのため、例えば、ユーザ端末２０７の組み合わせ情報が消去された場合、ユーザ端末２０７のユーザ認証が再び行われる必要がある。すなわち、ＤＨＣＰサーバ１１１によるユーザ端末２０７に対するＩＰアドレスの再設定が必要である。
【００４３】
認証テーブル１０２ｆに格納されていた組み合わせ情報が消去された場合、その組み合わせ情報が消去されたことをユーザ端末２０７及びＤＨＣＰサーバ１１１が自ら認識することができるように構成されていることが望ましい。例えば、組み合わせ情報が消去されたことをユーザ端末２０７が自ら認識することにより、ユーザ端末２０７は、ＩＰアドレスの再設定のためのＩＰアドレスの取得要求（例えば、ＤＨＣＰ  ｄｉｓｃｏｖｅｒメッセージｍ１）をＤＨＣＰサーバ１１１に送信することができる。また、例えば、組み合わせ情報が消去されたことをＤＨＣＰサーバ１１１が自ら認識することにより、ＤＨＣＰサーバ１１１は、ＩＰアドレスの再設定のためのＤＨＣＰ  ｏｆｆｅｒメッセージｍ２をユーザ端末２０７に送信することができる。
【００４４】
しかしながら、組み合わせ情報が消去されたことをユーザ端末２０７及びＤＨＣＰサーバ１１１が自ら認識することができない場合、ＩＰアドレスのリース期間が満了することにより、ＤＨＣＰサーバ１１１によるＩＰアドレスの割り当て（定期的な更新）が再び行われるまで、ユーザ端末２０７によるＰＯＮシステム１００を介した通信が遮断される。ユーザがユーザ端末２０７を再起動することにより、ＩＰアドレスの取得要求（リース期間の更新要求）を送信することができるが、ユーザによってユーザ端末２０７が再起動されない場合、ＤＨＣＰクライアントの通信障害（通信の遮断）の継続時間は、例えば、最大１２時間程度である。
【００４５】
そこで、本実施の形態では、組み合わせ情報が消去されたことをユーザ端末２０７及びＤＨＣＰサーバ１１１が自ら認識することができない場合であっても、クライアント装置における通信障害の発生から復旧までの時間を短縮可能なＰＯＮシステム１００を提供する。
【００４６】
次に、ＯＬＴ１０２に障害が発生した場合のＰＯＮシステム１００の動作の一例について説明する。
図４は、ＯＬＴ１０２に障害が発生した場合のＰＯＮシステム１００の動作の一例を示すシーケンス図である。
【００４７】
例えば、ＯＬＴ１０２の電源が切断された場合、ＯＬＴ１０２とＯＮＵ２０４との間の通信状態（リンク状態）が切断状態（リンクダウン）になり、ＯＬＴ１０２における障害（通信障害）が発生する。さらに、ＯＬＴ１０２の電源が切断されることにより、認証テーブル１０２ｆに格納されていたユーザ端末２０７の組み合わせ情報が消去される。
【００４８】
ＯＮＵ制御部２０４ａ（例えば、ＰＯＮ制御部２０４ｄ）は、ＯＬＴ１０２の障害の発生（例えば、リンクダウン）を検出すると、ＯＮＵ制御部２０４ａは、ＯＮＵ２０４とクライアント装置としてのユーザ端末２０７との間の通信状態を、一時的に接続状態から切断状態に切り替える。例えば、ＯＮＵ制御部２０４ａ（例えば、ユーザポート閉塞処理部２０４ｃ）が一時的にポート２０４ｅを閉塞することにより、ＯＮＵ２０４とユーザ端末２０７との間の通信状態が、一時的に接続状態から切断状態に切り替わる。
【００４９】
ポート２０４ｅが閉塞されることにより、ＯＮＵ２０４とユーザ端末２０７との間の通信状態（リンク状態）が切断状態（リンクダウン）になる。ユーザ端末２０７は、ユーザ端末２０７とＯＮＵ２０４との間の通信状態が切断状態（リンクダウン）となったことを検出する。ユーザ端末２０７は、リンクダウンを検出することにより、ＰＯＮシステム１００（例えば、ＯＬＴ０２）に通信障害が発生したことを検出する。すなわち、ＯＮＵ制御部２０４ａは、ポート２０４ｅを一時的に閉塞することによって、ＰＯＮシステム１００（例えば、ＯＬＴ１０２）に通信障害が発生したこと（例えば、認証テーブル１０２ｆに格納されていた組み合わせ情報が消去されたこと）をユーザ端末２０７に通知することができる。ただし、ＯＮＵ制御部２０４ａ（例えば、ユーザポート閉塞処理部２０４ｃ）がポート２０４ｅを一時的に閉塞するタイミングは、ＯＬＴ１０２の通信障害が復旧した後でもよい。
【００５０】
ＯＬＴ１０２の通信障害が復旧すると、ＯＬＴ１０２とＯＮＵ２０４との間の通信状態（リンク状態）が、切断状態から接続状態（リンクアップ）に切り替わる。ＯＮＵ制御部２０４ａ（例えば、ＰＯＮ制御部２０４ｄ）が、リンクアップを検出すると、ＯＮＵ制御部２０４ａは、ユーザ端末２０７との通信状態を切断状態から接続状態に切り替える。例えば、ＯＮＵ制御部２０４ａ（例えば、ユーザポート閉塞処理部２０４ｃ）がポート２０４ｅの閉塞を解除することにより、ＯＮＵ２０４とユーザ端末２０７との間の通信状態が、切断状態から接続状態に切り替わる。
【００５１】
ＯＮＵ制御部２０４ａ（例えば、ユーザポート閉塞処理部２０４ｃ）がポート２０４ｅを閉塞してから、閉塞を解除するまでの時間（リンクダウン時間）は、クライアント装置の仕様に応じて設定すればよい。例えば、クライアント装置の仕様に応じて、タイマ（例えば、ＰＯＮ制御部２０４ｄ）によってリンクダウン時間を制御してもよい。
【００５２】
ユーザ端末２０７は、リンクアップを検出すると、ＤＨＣＰによるＩＰアドレスの取得要求を自動的に実行する。言い換えると、ユーザ端末２０７がリンクアップを検出することにより、ユーザがユーザ端末２０７の操作（例えば、再起動）を行わずに、ユーザ端末２０７がＤＨＣＰによるＩＰアドレスの取得要求（ＤＨＣＰによるＩＰアドレスの再取得動作）を自動的に実行する。ＤＨＣＰによるＩＰアドレスの再取得動作は、図２を参照しながら説明したＤＨＣＰによるＩＰアドレス設定と同じ動作である。
【００５３】
ユーザ端末２０７からのＩＰアドレスの取得要求（例えば、ＤＨＣＰ  ｄｉｓｃｏｖｅｒメッセージｍ１）を受信したＤＨＣＰサーバ１１１は、ユーザ端末２０７にＩＰアドレスを割り当てることにより、ユーザ端末２０７に対するＩＰアドレスの再設定が完了し、ユーザ端末２０７は、ＰＯＮシステム１００を介した通信を行うことが可能になる。
【００５４】
実施の形態１によれば、ＯＬＴ１０２に障害が発生したときに、ＯＮＵ制御部２０４ａ（例えば、ユーザポート閉塞処理部２０４ｃ）は、ＯＮＵ２０４とクライアント装置（例えば、ユーザ端末２０７）との間の通信状態を、一時的に接続状態から切断状態に切り替えることにより、ＤＨＣＰによるＩＰアドレスの取得要求（ＤＨＣＰによるＩＰアドレスの再取得動作）をクライアント装置に自動的に実行させることができる。
【００５５】
実施の形態１によれば、ＤＨＣＰサーバ１１１によるＩＰアドレスの定期的な更新が実行される前（ＩＰアドレスのリース期間の満了前）に、クライアント装置（例えば、ユーザ端末２０７）に対するＩＰアドレスの再設定が実行されるので、クライアント装置における通信障害の発生から復旧までの時間を短縮させることができる。
【００５６】
実施の形態２．
図５は、実施の形態２に係る通信システムとしてのＰＯＮシステム２００におけるＯＬＴ１０２及びＯＮＵ３０４の内部構成を概略的に示すブロック図である。実施の形態２に係るＰＯＮシステム２００において、ＯＮＵ３０４の構成が、実施の形態１に係るＰＯＮシステム１００におけるＯＮＵ２０４の構成と異なる。したがって、ＯＮＵの構成以外は、ＰＯＮシステム２００の構成とＰＯＮシステム１００の構成とは互いに同じである。
【００５７】
具体的には、ＯＮＵ３０４は、主制御部としてのＯＮＵ制御部３０４ａと、インターフェース部２０４ｂとを有する。ＯＮＵ制御部３０４ａは、ＤＨＣＰメッセージ生成部３０４ｃと、ＰＯＮ制御部３０４ｄとを有する。すなわち、ＯＮＵ制御部３０４ａは、ユーザポート閉塞処理部の代わりにＤＨＣＰメッセージ生成部３０４ｃを有する。
【００５８】
次に、ＯＬＴ１０２に障害が発生した場合のＰＯＮシステム２００の動作の一例について説明する。
図６は、ＯＬＴ１０２に障害が発生した場合のＰＯＮシステム２００の動作の一例を示すシーケンス図である。
【００５９】
例えば、ＯＬＴ１０２の電源が切断された場合、ＯＬＴ１０２とＯＮＵ３０４との間の通信状態（リンク状態）が切断状態（リンクダウン）になり、ＯＬＴ１０２における障害（通信障害）が発生する。さらに、ＯＬＴ１０２の電源が切断されることにより、認証テーブル１０２ｆに格納されていたユーザ端末２０７の組み合わせ情報が消去される。
【００６０】
ＯＬＴ１０２に通信障害が発生した場合、ＯＮＵ制御部３０４ａ（例えば、ＰＯＮ制御部３０４ｄ）は、ＯＬＴ１０２の障害の発生（例えば、リンクダウン）を検出する。ＯＬＴ１０２の通信障害が復旧すると、ＯＬＴ１０２とＯＮＵ３０４との間の通信状態（リンク状態）が、切断状態から接続状態（リンクアップ）に切り替わる。
【００６１】
ＯＮＵ制御部３０４ａ（例えば、ＰＯＮ制御部３０４ｄ）がリンクアップを検出すると、ＯＮＵ制御部３０４ａ（例えば、ＤＨＣＰメッセージ生成部３０４ｃ）は、ＯＬＴ１０２の通信障害の発生をクライアント装置としてのユーザ端末２０７に通知する。例えば、ＤＨＣＰメッセージ生成部３０４ｃが、ＤＨＣＰによるＩＰアドレス強制再取得メッセージ（ＤＨＣＰ  ｆｏｒｃｅｒｅｎｅｗ）をユーザ端末２０７に送信する。ＤＨＣＰメッセージ生成部３０４ｃによるＤＨＣＰ  ｆｏｒｃｅｒｅｎｅｗの送信は、ＯＬＴ１０２の障害復旧の前に実行されてもよい。
【００６２】
ユーザ端末２０７は、ＤＨＣＰ  ｆｏｒｃｅｒｅｎｅｗを受信すると、ＤＨＣＰによるＩＰアドレスの取得要求（ＤＨＣＰによるＩＰアドレスの再取得動作）を自動的に実行する。言い換えると、ユーザ端末２０７がＤＨＣＰ  ｆｏｒｃｅｒｅｎｅｗを受信することにより、ユーザがユーザ端末２０７の操作（例えば、再起動）を行わずに、ユーザ端末２０７がＤＨＣＰによるＩＰアドレスの取得要求を自動的に実行する。ＤＨＣＰによるＩＰアドレスの再取得動作は、図２を参照しながら説明したＤＨＣＰによるＩＰアドレス設定と同じ動作である。
【００６３】
ユーザ端末２０７からのＩＰアドレスの取得要求（例えば、ＤＨＣＰ  ｄｉｓｃｏｖｅｒメッセージｍ１）を受信したＤＨＣＰサーバ１１１は、ユーザ端末２０７にＩＰアドレスを割り当てることにより、ユーザ端末２０７に対するＩＰアドレスの再設定が完了し、ユーザ端末２０７は、ＰＯＮシステム２００を介した通信を行うことが可能になる。
【００６４】
実施の形態２によれば、ＯＬＴ１０２に障害が発生したときに、ＯＮＵ制御部３０４ａ（例えば、ＤＨＣＰメッセージ生成部３０４ｃ）は、ＯＬＴ１０２の障害の発生をクライアント装置と（例えば、ユーザ端末２０７）に通知することにより、ＤＨＣＰによるＩＰアドレスの取得要求（ＤＨＣＰによるＩＰアドレスの再取得動作）をクライアント装置に自動的に実行させることができる。
【００６５】
実施の形態２によれば、ＤＨＣＰサーバ１１１によるＩＰアドレスの定期的な更新が実行される前（ＩＰアドレスのリース期間の満了前）に、クライアント装置（例えば、ユーザ端末２０７）に対するＩＰアドレスの再設定が実行されるので、クライアント装置における通信障害の発生から復旧までの時間を短縮させることができる。
【００６６】
実施の形態３．
図７は、実施の形態３に係る通信システムとしてのＰＯＮシステム３００におけるＯＬＴ１０２及びＯＮＵ４０４の内部構成を概略的に示すブロック図である。実施の形態３に係るＰＯＮシステム３００において、ＯＮＵ４０４の構成が、実施の形態１に係るＰＯＮシステム１００におけるＯＮＵ２０４の構成と異なる。したがって、ＯＮＵの構成以外は、ＰＯＮシステム３００の構成とＰＯＮシステム１００の構成とは互いに同じである。
【００６７】
具体的には、ＯＮＵ４０４は、主制御部としてのＯＮＵ制御部４０４ａと、クライアント装置（例えば、ユーザ端末２０７）と通信を行うためのＨＧＷ部（ホームゲートウェイ部）４０４ｂと、インターフェース部４０４ｃとを有する。ＯＮＵ制御部４０４ａは、ＰＯＮ制御部を備えてもよい。すなわち、ＯＮＵ４０４は、ＨＧＷ部４０４ｂを有する点で、ＰＯＮシステム１００におけるＯＮＵ２０４と異なる。また、ＯＮＵ４０４は、図１に示されるＯＮＵ１０４ｃ（ＨＧＷ部が内蔵されたＯＮＵ）に適用可能である。
【００６８】
次に、ＯＬＴ１０２に障害が発生した場合のＰＯＮシステム３００の動作の一例について説明する。
図８は、ＯＬＴ１０２に障害が発生した場合のＰＯＮシステム３００の動作の一例を示すシーケンス図である。
【００６９】
例えば、ＯＬＴ１０２の電源が切断された場合、ＯＬＴ１０２とＯＮＵ４０４との間の通信状態（リンク状態）が切断状態（リンクダウン）になり、ＯＬＴ１０２における障害（通信障害）が発生する。さらに、ＯＬＴ１０２の電源が切断されることにより、認証テーブル１０２ｆに格納されていたユーザ端末２０７の組み合わせ情報が消去される。
【００７０】
ＯＬＴ１０２に通信障害が発生した場合、ＯＮＵ制御部４０４ａは、ＯＬＴ１０２の障害の発生（例えば、リンクダウン）を検出する。ＯＬＴ１０２の通信障害が復旧すると、ＯＬＴ１０２とＯＮＵ４０４との間の通信状態（リンク状態）が、切断状態から接続状態（リンクアップ）に切り替わる。
【００７１】
ＯＮＵ制御部４０４ａがリンクアップを検出すると、ＯＮＵ４０４とクライアント装置としてのユーザ端末２０７との間の通信状態を、一時的に接続状態から切断状態に切り替える。例えば、ＯＮＵ制御部４０４ａが内部信号によってＨＧＷ部４０４ｂを再起動させることにより、ＯＮＵ４０４とユーザ端末２０７との間の通信状態が、一時的に接続状態から切断状態に切り替わる。ＨＧＷ部４０４ｂの再起動は、ＯＬＴ１０２の障害復旧の前でもよいが、ＯＬＴ１０２の障害が復旧した後（ＯＬＴ１０２とＯＮＵ４０４との間の通信状態が切断状態から接続状態に切り替わった後）に実行されることが望ましい。
【００７２】
ＯＮＵ制御部４０４ａがＨＧＷ部４０４ｂを再起動させることにより、ＯＮＵ４０４とユーザ端末２０７との間の通信状態（リンク状態）が一時的に切断状態（リンクダウン）になる。ユーザ端末２０７は、ユーザ端末２０７とＯＮＵ４０４との間の通信状態が一時的に切断状態（リンクダウン）となったことを検出する。すなわち、ＯＮＵ制御部４０４ａは、ＨＧＷ部４０４ｂを再起動させることによって、ＰＯＮシステム３００（例えば、ＯＬＴ１０２）に通信障害が発生したこと（例えば、認証テーブル１０２ｆに格納されていた組み合わせ情報が消去されたこと）をユーザ端末２０７に通知することができる。
【００７３】
ＨＧＷ部４０４ｂが再起動することによって、ユーザ端末２０７とＯＮＵ４０４との間の通信状態が、接続状態（リンクアップ）に切り替わる。
【００７４】
ユーザ端末２０７は、リンクアップを検出すると、ＤＨＣＰによるＩＰアドレスの取得要求を自動的に実行する。言い換えると、ユーザ端末２０７がリンクアップを検出することにより、ユーザがユーザ端末２０７の操作（例えば、再起動）を行わずに、ユーザ端末２０７がＤＨＣＰによるＩＰアドレスの取得要求（ＤＨＣＰによるＩＰアドレスの再取得動作）を自動的に実行する。ＤＨＣＰによるＩＰアドレスの再取得動作は、図２を参照しながら説明したＤＨＣＰによるＩＰアドレス設定と同じ動作である。
【００７５】
ユーザ端末２０７からのＩＰアドレスの取得要求（例えば、ＤＨＣＰ  ｄｉｓｃｏｖｅｒメッセージｍ１）を受信したＤＨＣＰサーバ１１１は、ユーザ端末２０７にＩＰアドレスを割り当てることにより、ユーザ端末２０７に対するＩＰアドレスの再設定が完了し、ユーザ端末２０７は、ＰＯＮシステム３００を介した通信を行うことが可能になる。
【００７６】
ＨＧＷ部４０４ｂを再起動させる代わりに、ＨＧＷ部４０４ｂにおける通信リンクを瞬断させることにより、ＤＨＣＰによるＩＰアドレスの取得要求（ＤＨＣＰによるＩＰアドレスの再取得動作）をクライアント装置（例えば、ユーザ端末２０７）に自動的に実行させてもよい。
【００７７】
実施の形態３によれば、ＯＬＴ１０２に障害が発生したときに、ＯＮＵ４０４とクライアント装置（例えば、ユーザ端末２０７）との間の通信状態を、一時的に接続状態から切断状態に切り替えることにより、ＤＨＣＰによるＩＰアドレスの取得要求（ＤＨＣＰによるＩＰアドレスの再取得動作）をクライアント装置に自動的に実行させることができる。
【００７８】
実施の形態３によれば、ＤＨＣＰサーバ１１１によるＩＰアドレスの定期的な更新が実行される前（ＩＰアドレスのリース期間の満了前）に、クライアント装置（例えば、ユーザ端末２０７）に対するＩＰアドレスの再設定が実行されるので、クライアント装置における通信障害の発生から復旧までの時間を短縮させることができる。
【００７９】
変形例１．
図９は、変形例１に係るＰＯＮシステムにおけるＯＬＴ制御部５０２ａの構成を示すブロック図である。ＯＬＴ制御部５０２ａは、実施の形態１から３に係るＰＯＮシステム１００から３００におけるＯＬＴ制御部１０２ａに適用可能である。
【００８０】
ＯＬＴ制御部５０２ａは、ＣＰＵ（Central  Processing  Unit）等のプロセッサ５０２ｂ、ＲＯＭ（Read  Only  Memory）５０２ｃ、及びＲＡＭ（Random  Access  Memory）５０２ｄを有する。ＲＯＭ５０２ｃには、ＯＬＴ制御部５０２ａ内の各構成要素を制御するためのプログラム等が格納されている。ＲＡＭ５０２ｄは、ＲＯＭ５０２ｃに格納されたプログラム等をロードする記憶領域として用いられる。プロセッサ５０２ｂは、例えば、ＲＡＭ５０２ｄにプログラムをロードしてＯＬＴ制御部５０２ａ内の各構成要素の制御を実行する。例えば、パケットフィルタ部１０２ｃ、ＰＯＮ制御部１０２ｅ、ＤＨＣＰメッセージモニタ部１０２ｄは、プロセッサ５０２ｂがＲＯＭ５０２ｃに格納されたプログラムを実行することにより、実現される。
【００８１】
変形例２．
図１０は、変形例２に係るＰＯＮシステムにおけるＯＮＵ制御部６０４ａの構成を示すブロック図である。ＯＮＵ制御部６０４ａは、実施の形態１から３に係るＰＯＮシステム１００から３００におけるＯＮＵ制御部２０４ａ，３０４ａ，及び４０４ａに適用可能である。
【００８２】
ＯＮＵ制御部６０４ａは、ＣＰＵ等のプロセッサ６０４ｂ、ＲＯＭ６０４ｃ、及びＲＡＭ６０４ｄを有する。ＲＯＭ６０４ｃには、ＯＮＵ制御部６０４ａ内の各構成要素を制御するためのプログラム等が格納されている。ＲＡＭ６０４ｄは、ＲＯＭ６０４ｃに格納されたプログラム等をロードする記憶領域として用いられる。プロセッサ６０４ｂは、例えば、ＲＡＭ６０４ｄにプログラムをロードしてＯＮＵ制御部６０４ａ内の各構成要素の制御を実行する。例えば、ＰＯＮシステム１００におけるユーザポート閉塞処理部２０４ｃ及びＰＯＮ制御部２０４ｄは、プロセッサ６０４ｂがＲＯＭ６０４ｃに格納されたプログラムを実行することにより、実現される。例えば、ＰＯＮシステム２００におけるＤＨＣＰメッセージ生成部３０４ｃ及びＰＯＮ制御部３０４ｄは、プロセッサ６０４ｂがＲＯＭ６０４ｃに格納されたプログラムを実行することにより、実現される。
【００８３】
以上に説明した各実施の形態における特徴及び各変形例における特徴は、互いに適宜組み合わせることができる。
【符号の説明】
【００８４】
１００，２００，３００  ＰＯＮシステム、  １０１  インターネット網、  １０２  ＯＬＴ、  １０２ａ，５０２ａ  ＯＬＴ制御部、  １０２ｂ  記憶部、  １０２ｃ  パケットフィルタ部、  １０２ｄ  ＤＨＣＰメッセージモニタ部、  １０２ｅ  ＰＯＮ制御部、  １０２ｆ  認証テーブル、  １０３  光カプラ、  １０４ａ，１０４ｂ，１０４ｃ，２０４，３０４，４０４  ＯＮＵ、  １０５  光ファイバ、  １０６  ＨＧＷ、  １０７ａ，１０７ｂ，１０７ｃ，２０７  ユーザ端末、  １１１  ＤＨＣＰサーバ、  ２０４ａ，３０４ａ，４０４ａ，６０４ａ  ＯＮＵ制御部（主制御部）、  ２０４ｂ  インターフェース部、  ２０４ｃ  ユーザポート閉塞処理部、  ２０４ｄ  ＰＯＮ制御部、  ２０４ｅ  ポート。
【図１】
2017098655.tif 000003
【図２】
2017098655.tif 000004
【図３】
2017098655.tif 000005
【図４】
2017098655.tif 000006
【図５】
2017098655.tif 000007
【図６】
2017098655.tif 000008
【図７】
2017098655.tif 000009
【図８】
2017098655.tif 000010
【図９】
2017098655.tif 000011
【図１０】
2017098655.tif 000012